(57)【特許請求の範囲】
【請求項１】
立体トラス構造からなる建築物の外装構造であって、斜面部で外装面部を形成している多角錐体の稜線部が斜材を、この多角錐体の底辺部が下弦材を、それぞれ形成していて、隣り合う多角錐体の底辺部同士を接続すると共に、隣り合う多角錐体の頂部間に上弦材を架設し、前記の立体トラス構造における多角錐体の斜面部で形成している外装面部の一部または全部が、採光装置、換気装置、太陽熱変換装置のいずれかまたは組み合わせからなることを特徴とする建築物の外装構造。
【請求項２】
下弦材が樋部を有していることを特徴とする請求項１記載の建築物の外装構造。
【発明の詳細な説明】
【０００１】
【発明の属する技術分野】
本発明は建築物における屋根や外壁の外装構造に関する。
【０００２】
【従来の技術】
例えば、外装構造が屋根である場合、屋根を支える構造として立体トラスがあるが、通常の屋根構造では、立体トラスの上に、垂木等を取り付けて屋根を葺いている。
そのため、屋根を構成する躯体としての立体トラスと、屋根板を支える垂木等の部材との双方を必須としていて、部品点数が多いことによる部材コストのアップ、組み立て工数が多いことによる労力のアップを避けられず、経済的負担が大きい構造上の事由があった。
【０００３】
【発明が解決しようとする課題】
解決しようとする課題は、第１には、部品点数および組み立て工数が少なく、施工容易で、経済的に安価であると共に、構造強度が高く、さらに、様々な機能および意匠に仕上げ可能である建築物の外装構造を、第２には、さらに、高い雨仕舞性を有する建築物の外装構造を提供することにある。
【０００４】
【課題を解決するための手段】
本発明は前記した課題を達成するため、立体トラス構造からなる建築物の外装構造であって、斜面部で外装面部を形成している多角錐体の稜線部が斜材を、この多角錐体の底辺部が下弦材を、それぞれ形成していて、隣り合う多角錐体の底辺部同士を接続すると共に、隣り合う多角錐体の頂部間に上弦材を架設し、前記の立体トラス構造における多角錐体の斜面部で形成している外装面部の一部または全部が、採光装置、換気装置、太陽熱変換装置のいずれかまたは組み合わせからなることを特徴とする。
また本発明では、下弦材が樋部を有していることを特徴とする。
【０００５】
本発明における多角錐体は、三角錐体、四角錐体、六角錐体等の適宜多角錐形状のものであり、隣り合う多角錐体の底辺部同士の接続は、ボルト・ナット等の接続手段にて強固に行なわれる。この底辺部同士の接続部分には防水部材を配設することで、雨仕舞が強化されることになる。また、多角錐体の頂部における上弦材の接続部位に、上弦材を接続固定するための要素としてのボルトが通る孔が開けられる場合にも、当該部位に防水部材が配設されて、雨仕舞が強化されることになる。尚、頂部に、上弦材の接続のためにボルトが一体に突設形成されている態様のものでは、当該部位における防水対策は不要になる。下弦材は、樋部を有している態様、樋部を有しない態様のいずれであっても良い。この多角錐体の材質は、金属製、合成樹脂製、ＦＲＰ製、ＣＦＲＰ製（炭素繊維強化プラスチック）、木製のいずれでも良い。上弦材は、隣り合う多角錐体の頂部間相当の長さ或いは隣り合う多角錐体の頂部間の整数倍相当の長さからなる一定長さの態様のもの、または、ターンバックル等の長さ調整要素を有する態様のいずれであっても良い。
採光装置は、透光性を有する部材から形成しても良いし、一部を透光性或いは採光部として形成していても良い。換気装置は、雨仕舞性能を備えた換気口等であれば良い。太陽熱変換装置は、太陽電池を貼着したものでも一体に形成したものでも良く、その他の公知の太陽熱変換装置でも良い。これらの採光装置、換気装置、太陽熱変換装置は、トラスにおける斜材および下弦材としての強度を有する態様のものであれば良い。
【０００６】
【発明の実施の形態】
図１〜図３には本発明の建築物の外装構造における実施の１形態として屋根構造を例示しており、水平状の屋根構造を構成している複数の多角錐体１は、下面が開口している四角錐形状の合成樹脂製のもので、四方の各斜面部１ａが外装面部２を、各外装面部２間の稜線部１ｂが斜材３を、各外装面部２下縁の垂直状底辺部１ｃが下弦材４を、それぞれ形成している。
この前後左右に隣り合う多角錐体１は、垂直状底辺部１ｃ同士を、同部１ｃの通し孔１ｄに接続ボルト５を通してナット６で締め付けて接続固定してある。また、垂直状底辺部１ｃ間にはパッキング等の防水部材７を配設して雨仕舞性を高めてある。
そして、前後左右の多角錐体１における頂部１ｅ間には、上弦材８をそれぞれ架設して一体的に接続固定してある。頂部１ｅには、上面の取付座部１ｆから下方へ貫通状の取付孔部１ｇを開けてあり、この取付孔部１ｇから上方へ突出状の取付ボルト９には、前後左右の多角錐体１の頂部１ｅとの間を連結する上弦材８を取り付けて、ナット１０で同連結状態に取り付けてある。取付座部１ｆと上弦材８との間には防水部材１１を配設していて、頂部１ｅにおける雨仕舞性を高めてある。
上弦材８は、両端が扁平状の金属パイプ製のもので、頂部１ｅ上に位置している扁平状端部８ａの孔部８ｂには取付ボルト９が貫通していて、頂部１ｅにナット１０で取り付け固定されている。この上弦材８は、前後左右の各多角錐体１間に架設されて平面視格子状を呈し、且つ、各多角錐体１における斜材３と下弦材４とで立体トラスを形成している。
【０００７】
図４〜図５には本発明の建築物の外装構造における実施の１形態として他の屋根構造を例示しており、構成は前記した図１の態様のものと基本的に同一であるため、共通している構成の説明は符合を準用して省略し、相違する構成について説明する。
多角錐体１は、三角錐形状の合成樹脂製のもので、三方の各斜面部１ａが外装面部２を、各外装面部２間の稜線部１ｂが斜材３を、各外装面部２下縁の垂直状底辺部１ｃが下弦材４を、それぞれ形成している。
各多角錐体１は、底辺部１ｃ同士を、同部１ｃの通し孔１ｄに接続ボルト５を通してナット６で締め付けて接続固定してあると共に、各頂部１ｅ間には、上弦材８をそれぞれ架設して一体的に接続固定してある。上弦材８は、各多角錐体１間に架設されて平面視亀甲状を呈し、且つ、各多角錐体１における斜材３と下弦材４とで立体トラスを形成している。
【０００８】
図６〜図８には本発明の建築物の外装構造における実施の１形態として他の屋根構造を例示しており、構成は前記した図１の態様のものと基本的に同一であるため、共通している構成の説明は符合を準用して省略し、相違する構成について説明する。
多角錐体１は、前後の外装面部２下縁を外方へ水平状に延設して水平状延長部１ｈを延設すると共に、この水平状延長部１ｈ外縁に垂直状底辺部１ｃを、同底辺部１ｃ上縁が水平状延長部１ｈよりも上位に位置する関係にそれぞれ形成している。この各多角錐体１における水平状延長部１ｈは、後で説明する溝部１ｉを経て左右方向に連続して、前後の多角錐体１間の雨水を下流側の溝部１ｉに導く横樋１２として働くように形成してある。
また、多角錐体１は、左右の外装面部２下縁に略Ｕ字状の溝部１ｉを延設していると共に、この溝部１ｉ前後端の垂直状底辺部１ｃ部分を同溝部形状に凹設して、溝部１ｉ前後端を開口形成している。この各多角錐体１における溝部１ｉは、溝部の垂直部分が垂直状底辺部１ｃを兼ねていると共に、前後方向に連続する縦樋１３を形成して、左右の多角錐体１間の雨水および横樋１２から流入する雨水を下流側へ誘導して働く。
そして、各多角錐体１は、前後に隣接する垂直状底辺部１ｃ同士を接続ボルト５およびナット６で接続固定し、左右に隣接する垂直状底辺部１ｃ端同士を継ぎ板１４で接続ボルト５およびナット６により接続固定してある。
多角錐体１における下面開口は、図示のように、蓋板１５で閉じた態様にしても良いし、開放タイプにしても良い。
【０００９】
図９の（Ａ）〜（Ｃ）には本発明の建築物の外装構造における実施の１形態として他の屋根構造を例示しており、構成は前記した図１の態様のものと基本的に同一であるため、共通している構成の説明は符合を準用して省略し、相違する構成について説明する。
（Ａ）は外装面部２の一部を採光窓１６で形成してある。（Ｂ）は外装面部２の一部を換気口１７で形成してある。（Ｃ）は外装面部２の一部を太陽電池パネル１８で形成してある。
【００１０】
【発明の効果】
Ａ．請求項１により、トラスを構成する斜材を外装面材で構成することで、従前のようなトラス構造上に再度屋根を構築するなどの構成がなくなり、建築物重量の削減、作業工数の削減などにつながり、さらに、前記削減によって全体コストをも削減することができる。
トラスを構成する斜材、下弦材を四角錐などの多角錐体に構成すなわちユニット化することで作業性の良いトラス構造を提供できる。
上弦材と下弦材を結ぶ斜材が外装面部という面によって構成されているため、構造強度が高い。
したがって、部品点数および組み立て工数が少なく、施工容易で、経済的に安価であると共に、構造強度が高い特徴がある。
さらに、外装面部の一部または全部を採光窓、換気口、太陽電池パネルのいずれかまたは組み合わせにできて、様々な機能および意匠に仕上げ可能である。
Ｂ．請求項２により、さらに、高い雨仕舞性を有する。
【図面の簡単な説明】
【図１】本発明の建築物の外装構造における実施の１形態として屋根構造を示す平面図。
【図２】縦断正面図。
【図３】部分拡大縦断正面図。
【図４】本発明の建築物の外装構造における実施の１形態として他の屋根構造を示す平面図。
【図５】縦断正面図。
【図６】本発明の建築物の外装構造における実施の１形態として他の屋根構造を示す平面図。
【図７】縦断正面図。
【図８】縦断側面図。
【図９】（Ａ）〜（Ｃ）は本発明の建築物の外装構造における実施の１形態として他の屋根構造を示す各部分拡大縦断正面図。
【符号の説明】
１  多角錐体
１ａ  斜面部
１ｂ  稜線部
１ｃ  垂直状底辺部
１ｄ  通し孔
１ｅ  頂部
１ｆ  取付座部
１ｇ  取付孔部
１ｈ  水平状延長部
１ｉ  溝部
２  外装面部
３  斜材
４  下弦材
５  接続ボルト
６，１０  ナット
７，１１  防水部材
８  上弦材
８ａ  扁平状端部
８ｂ  孔部
９  取付ボルト
１２  横樋
１３  縦樋
１４  継ぎ板
１５  蓋板
１６  採光窓
１７  換気口
１８  太陽電池パネル
【図１】
0003615481.tif 000002
【図２】
0003615481.tif 000003
【図３】
0003615481.tif 000004
【図４】
0003615481.tif 000005
【図５】
0003615481.tif 000006
【図６】
0003615481.tif 000007
【図７】
0003615481.tif 000008
【図８】
0003615481.tif 000009
【図９】
0003615481.tif 000010